(57)【要約】 【課題】  太陽電池駆動の回転表示機能付時計の提供。【解決手段】  分針６を駆動する中心車１７は地板１５と中受１６とに軸支されており、秒針７を駆動する４番車１９は中心車１７に挿通されて輪列受１８に軸支されている。時針５を駆動する筒車２０は中心車１７に嵌挿されており、日針８を駆動する日車２１は筒車２０に嵌挿されている。回路ブロック２３は地板１５に固定された回路支持台２５に耐磁板２４を介して支持されている。月齢表示車９は回路支持台２５に植設された月齢表示車止めピン２６によって回転自在に軸支されている。太陽電池１２は月齢表示窓４ａを有する透光性文字板４の下に配設されており、月齢表示窓４ａの下には太陽電池支持枠１３に保持された文字板スペーサ１４の月齢表示窓１４ａがあって、月齢表示車９の表示部を決めている。【選択図】  図３
2006275525.tif 000002
【特許請求の範囲】
【請求項１】
時刻表示部と、地板及び時計回路を有し前記時刻表示部を駆動する時計駆動部と、光起電力を発生する太陽電池と、回転により所定の情報を表示する回転表示板とを備え、
前記時刻表示部の時刻表示領域内に前記太陽電池と前記回転表示板とを配置する
ことを特徴とする回転表示機能付時計。
【請求項２】
前記時刻表示部に透光性の文字板を設け、該文字板下に前記太陽電池と前記回転表示板とを配設するとともに前記回転表示板の視認側に表示領域を決める遮蔽部材を配設する
ことを特徴とする請求項１に記載の回転表示機能付時計。
【請求項３】
前記遮蔽部材に表示窓を形成し、該表示窓から前記回転表示板の情報を表示する
ことを特徴とする請求項２に記載の回転表示機能付時計。
【請求項４】
前記遮蔽部材は前記太陽電池に形成した切欠部に配設する
ことを特徴とする請求項２に記載の回転表示機能付時計。
【請求項５】
前記遮蔽部材は前記太陽電池を避けた位置に保持する
ことを特徴とする請求項２に記載の回転表示機能付時計。
【請求項６】
前記遮蔽部材は着脱自在である
ことを特徴とする請求項５に記載の回転表示機能付時計。
【請求項７】
前記太陽電池を避けた位置が前記時計回路を支持している回路支持台にある
ことを特徴とする請求項５に記載の回転表示機能付時計。
【請求項８】
前記太陽電池を避けた位置が前記太陽電池を支持している太陽電池支持枠にある
ことを特徴とする請求項５に記載の回転表示機能付時計。
【請求項９】
前記回転表示板は前記地板とは異なる部材に回転自在に軸支されている
ことを特徴とする請求項２に記載の回転表示機能付時計。
【請求項１０】
前記回転表示板は金属部材に回転自在に軸支されている
ことを特徴とする請求項２に記載の回転表示機能付時計。
【請求項１１】
前記太陽電池と前記遮蔽部材と前記太陽電池支持枠は同系色を呈することを特徴とする請求項８に記載の回転表示機能付時計。
【請求項１２】
前記遮蔽部材は前記文字板面に形成された印刷層又は薄膜である
ことを特徴とする請求項２に記載の回転表示機能付時計。
【請求項１３】
前記太陽電池下に前記回転表示板を配設し、前記太陽電池に前記回転表示板の情報を表示する表示窓を設ける
ことを特徴とする請求項１に記載の回転表示機能付時計。
【請求項１４】
前記遮蔽部材は前記文字板に配置する
ことを特徴とする請求項２に記載の回転表示機能付時計。
【請求項１５】
前記文字板の時字領域と、前記遮蔽部材と対向する領域を避けて前記太陽電池が露呈する開口部を前記文字板に設ける
ことを特徴とする請求項２に記載の回転表示機能付時計。
【請求項１６】
前記回転表示板を前記太陽電池上に配置する
ことを特徴とする請求項２に記載の回転表示機能付時計。
【発明の詳細な説明】
【技術分野】
【０００１】
本発明は、太陽電池によって駆動されるアナログ式電子時計に関し、さらに詳しくは時刻表示部に加えて月齢などの回転表示機能を付加した回転表示機能付時計に関する。
【背景技術】
【０００２】
従来、アナログ式電子時計には太陽電池が採用されるようになってきている。アナログ式電子時計においては、透光性の文字板を採用し、この文字板の下に太陽電池を配設している。
したがって文字板の材質には一般的に光透過性のよいプラスチック製のものが選択されている（例えば、特許文献１参照）。
【０００３】
一方、アナログ時計には基本的な時刻表示機能の他に月の満ち欠けを表示する月齢表示機能を持たせた時計が知られている。
従来のこのような月齢表示時計においては、文字板の月齢表示窓の下に回転表示板として月が印刷された月齢表示板を配設して、この月齢表示板を時計輪列によって駆動している。そして月齢表示板の表示領域以外の部分を文字板によって遮蔽することにより月齢を表示している（例えば、特許文献２参照）。
【特許文献１】特開２００３−２８７５７９号公報（段落００１２〜００１９及び図１〜３）
【特許文献２】実公平３−２８７４号公報（第１〜２頁及び第２図）
【発明の開示】
【発明が解決しようとする課題】
【０００４】
しかしながら、月齢表示機能付の時計に太陽電池を採用しようとした場合に、文字板に白色系の透光性文字板を採用すれば文字板下の部材が文字板表示面から視認できないことから月齢表示板の遮蔽効果に問題がないが、白色系以外の透明な文字板を採用しようとする場合には、遮蔽すべき月齢表示板の部分が文字板によって遮蔽することができないことから文字板表示面から見えてしまい、月齢表示を視認することが困難になってしまうという問題がある。
【０００５】
本発明は、このような従来の問題を解決するためになされたものであり、その目的は、太陽電池駆動の回転表示機能付時計を提供することである。
【課題を解決するための手段】
【０００６】
前述した目的を達成するため本発明の回転表示機能付時計は、時刻表示部と、地板及び時計回路を有して前記時刻表示部を駆動する時計駆動部と、光起電力を発生する太陽電池と、回転により所定の情報を表示する回転表示板とを有し、時刻表示部の時刻表示領域内に太陽電池と回転表示板とを配置することを特徴とする。
【発明の効果】
【０００７】
本発明によれば、時刻表示部と、地板及び時計回路を有して時刻表示部を駆動する時計駆動部と、光起電力を発生する太陽電池と、回転により所定の情報を表示する回転表示板とを有し、時刻表示部の時刻表示領域内に太陽電池と回転表示板とを配置するようにしたことから、太陽電池駆動の回転表示機能付時計を提供することが可能となる。
【発明を実施するための最良の形態】
【０００８】
以下、本発明の実施の形態を図面に基づいて詳細に説明する。図１は本発明の第１の実
施の形態である月齢表示時計を示す平面図であり、図２はこの月齢表示時計のムーブメントを示す平面図であり、図３はこの月齢表示時計の文字板を含むムーブメントの要部断面を示す断面図であり、図４はこの月齢表示時計の駆動輪列を示すブロック図である。
【０００９】
まず、この月齢表示時計の構造について説明する。図１において、１は太陽電池駆動の回転表示機能付時計としての月齢表示時計を示している。２はこの時計１の外装部品であるケースを示している。３は３時方向に位置している外装部品である操作部材としてのリュ−ズを示している。４は時刻表示部を構成する透明部材で形成された外装組込部品である透光性文字板を示しており、その周縁部には時目盛、分目盛及び日目盛が印刷されている。
また、月齢表示時計１の６時方向には回転表示部である月齢表示部としての月齢表示窓４ａが形成されており、その円弧状周縁部には月齢目盛が印刷されている。５は時刻表示部を構成する外装組込部品である時を表示する時針を示し、６は同じく分を表示する分針を示し、そして７は同じく秒を表示する秒針を示している。８は日付を表示する日針を示している。９は回転により所定の情報を表示する回転表示部板としての月齢表示車を示している。月齢表示車９は月齢表示窓４ａ近傍に回転中心を持つとともに文字板４下に配設されている。
【００１０】
図２において、１０は月齢表示時計１からケース２、リューズ３及び文字板４を除いた時計駆動部であるムーブメントを示している。１１は巻真を示しており、１２は文字板４の下面側に配設されている光起電力を発生する太陽電池を示している。太陽電池１２には後述の文字板スペーサを避けるように切欠部１２ａが形成されており、指針軸が貫通する中心穴を有している。
太陽電池１２は、フィルムやガラスやステンレス等から成る１枚の基板上に４等分割された４面（Ａ１、Ａ２、Ａ３、Ａ４）に発電面が設けられており、これらの発電面を直列に接続して必要な起電力を得るようになっている。このように月齢表示車９と太陽電池１２とは時刻表示部の時刻表示領域内に配置されている。
【００１１】
１３は太陽電池１２の周縁部を保持している太陽電池支持枠を示している。太陽電池支持枠１３は後述の回路支持台の周縁部に組み込まれている。１４は月齢表示車９を部分的に遮蔽することによって表示領域を決める遮蔽部材としての文字板スペーサを示している。
文字板スペーサ１４に形成された月齢表示窓１４ａから月齢表示車９の情報を表示するようになっている。文字板スペーサ１４は太陽電池１２を避けた位置である切欠部１２ａに配設してあり、太陽電池支持枠１３に着脱自在に保持されている。文字板スペーサ１４は後述の回路支持台に直接着脱自在に保持されていてもよい。
太陽電池１２と文字板スペーサ１４と太陽電池支持枠１３は同系色を呈している。
【００１２】
図３において、１５はムーブメント１０のベースである地板を示しており、１６は後述の輪列受を介して地板１５にネジ止めされた中受を示している。１７は先端に固定された分針６を駆動する中心車を示しており、中心車１７は地板１５の中央と中受１６とに軸支されている。１８は中受１６を介して地板１５にネジ止めされた輪列受を示している。
１９は先端に固定された秒針７を駆動する４番車を示しており、４番車１９の軸真は中心車１７に挿通されて輪列受１８に軸支されている。２０は先端に固定された時針５を駆動する筒車を示しており、中心車１７に嵌挿されている。２１は先端に固定された日針８を駆動する日車を示しており、筒車２０に嵌挿されている。２２は日車２１の縦方向の動きを規制しているカレンダー押さえを示している。
【００１３】
２３は時計回路を含む回路ブロックを示し、２４は耐磁板を示している。２５は地板１５に固定されて周辺に延在する地板１５とは異なるプラスチック支持部材である回路支持
台を示している。回路支持台２５は時計の裏輪列と耐磁板２４を介して回路ブロック２３を支持している。２６は金属材料から成る月齢表示車止めピンを示している。月齢表示車止めピン２６は回路支持台２５の地板１５面に張り出した部位に植設されて月齢表示車９を回転自在に軸支している。なお、月齢表示車９を回路支持台２５で軸支するときは金属材料と樹脂材料との係合となり、衝撃や経時変化で月齢表示車止めピン２６が緩みやすくなるのを補うために、図３に示すように、月齢表示車止めピン２６の頭部を文字板スペーサ１４と文字板４とで押さえている。
月齢表示車９は１８０°間隔で月形が印刷された月齢表示板９ａと月齢表示歯車９ｂとから成っている。月齢表示車９のアオリを規制するアオリ規制部１４ｂが文字板スペーサ１４の下面側に形成されている。２７は歯車９ｂに係合して月齢表示車９を定位置に保持しているジャンパーを示している。
【００１４】
つぎに、本発明の第１の実施の形態における月齢表示時計１の動作について説明する。
図４に示すように、変換機のローター２８の駆動力は表輪列の５番車２９を介して４番車１９へ伝達され、秒針７が固定された４番車１９を６０秒間に１回転させる。駆動力は４番車１９から３番車３６を介して中心車１７へと伝達され、分針６が固定された中心車１７を１時間に１回転させる。駆動力は更に中心車１７から裏輪列の日の裏車３７を介して筒車２０へ伝達され、時針５が固定された筒車２０を１２時間に１回転させる。
駆動力は筒車２０から日回し車３８へと伝達され、日回し車３８は１日に１回転する。日回し車３８は日回し爪３９を備えており、この日回し爪３９が歯車９ａに係合して月齢表示車９を駆動して５９日に１回転させる。一方日回し爪は同時に日針８を固定した日車２１を駆動して３１日で１回転させる。
【００１５】
つぎに、本発明の第１の実施の形態における月齢表示時計１の効果について説明する。透光性の文字板４の下に太陽電池１２を配設するとともに、月齢表示車９の視認側に月齢表示車９の表示領域を決める文字板スペーサ１４を配設したことにより、太陽電池駆動の月齢表示時計１が可能となった。
【００１６】
ここで、図１のものとは異なる外装デザインの一例について説明する。図５は月齢表示時計を示す平面図であり、図６は図５の月齢表示時計のムーブメントを示す平面図である。
図５において、３１は太陽電池駆動の月齢表示時計を示している。３２はこの月齢表示時計３１のケースを示しており、この月齢表示時計３１のリューズ３の位置は４時方向にある。３３はこの時計３１の文字板を示している。月齢表示車９の中心位置は７時の方向にあり、月齢表示窓３３ａは図１に示す月齢表示時計１の月齢表示窓４ａと同じ向きである。
【００１７】
図６において、３４は月齢表示時計３１の時計駆動部であるムーブメントを示しており、３５は文字板スペーサ１４と同じ外形を有する文字板スペーサを示している。ムーブメント３４は図２に示すムーブメント１０に対して時計回りに３０°旋回させ、さらに文字板スペーサ３５の月齢表示窓３５ａは図２に示す文字板スペーサ１４の月齢表示窓１４ａを反時計回りに３０°旋回した位置にある。
その他の構成は月齢表示時計１とのムーブメント１０と同様であるから、同じ構成要素には同じ符号と名称とを付して詳細な説明を省略する。
【００１８】
この例に示したように同じ太陽電池を含むムーブメントを用いながら、月齢表示車や外装組込部品であるケース、文字板、文字板スペーサ、あるいは各指針などを交換することによって、ケースに対してムーブメントを旋回させたり、月齢表示窓を旋回させる変更を加えただけで、時計表示面のタイプの異なる各種外装デザインの時計の製造に対応させることができる。
また、共通部品である太陽電池を組み立てたムーブメントを予め大量に製造しておき、出荷要求ごとに異なるデザインの月齢表示車や外装組込部品を選択して組み立てることにより、多品種の月齢表示時計の生産を効率良くかつ迅速に行なうことができる。
【００１９】
また、太陽電池１２と文字板スペーサ１４と太陽電池支持枠１３は同系色を呈していることから、文字板４の上から見た場合に、文字板スペーサ１４と太陽電池１２の境界部や太陽電池支持枠１３と太陽電池１２の境界部の存在を目立たなくして外観品質を良好に維持することができる。
また、地板１５と異なる部材である回路支持台２５に裏回り輪列や月齢表示車止めピン２６を植設するようにしたことから、表輪列の軸受に加えて新たな軸受を設ける余地のない地板１５の裏側の位置にも裏回り輪列や月齢表示車９を配設することができ、配置の自由度が大きいという利点もある。
【００２０】
なお、図２と図６を用いて説明した以上の実施の形態の文字板スペーサ１４、３５の月齢表示窓１４ａ、３５ａは、必ずしも円弧状周縁部１４ｂ、３５ｂを有する窓である必要はなく、図２に示す周縁部１４ｂや図６に示す周縁部３５ｂの一部又は全部が切り欠かれたものであってもよい。
【００２１】
次に、本発明の第２の実施の形態を図面に基づいて詳細に説明する。図７は本発明の第２の実施の形態である月齢表示時計を示す平面図であり、図８は月齢表示時計の文字板を除いたムーブメントを示す平面図である。図９は文字板を含めた月齢表示時計のムーブメントの要部断面を示す断面図である。
【００２２】
まず、この月齢表示時計の構造について説明する。図７において、４１は月齢表示時計を示している。４２は時刻表示部を構成する要素である透明部材で形成された透光性文字板を示している。月齢表示時計４１の６時方向に月齢表示窓４２ａ及び月齢表示車９を有している。
月齢表示車９の視認側である文字板４２の下面に、月齢表示窓４２ａに近接して表示領域を決める遮蔽部材としての遮光印刷層４２ｂが形成されている。
【００２３】
図８において、４３は月齢表示時計からケース２、リューズ３及び文字板４２を除いた時計駆動部であるムーブメントを示している。４４は指針軸が貫通する中心穴の他に月齢表示車９の部分に貫通穴４４ａを設けた太陽電池を示しており、等分割された発電面を有する。４５は太陽電池４４の周縁部を保持している太陽電池支持枠を示している。
【００２４】
図９に示すように、この月齢表示時計４１は第１の実施の形態である月齢表示時計１にあった文字板スペーサ１４が遮光印刷層４２ｂに置き換わったものに相当するものである。
なお、月齢表示車９は文字板スペーサ１４に替わる別部材によってアオリが規制されている。遮光印刷層４２ｂは文字板４２の上面側に形成されていてもよい。
その他の構成は第１の実施の形態である月齢表示時計１の構成と同じであるから同じ構成要素には同じ符号と名称とを付して詳細な説明を省略する。また、月齢表示時計４１の動作は月齢表示時計１の動作と同じであり、動作説明も省略する。
【００２５】
次に、本発明の第２の実施の形態における月齢表示時計の効果について説明する。透明な文字板４２の下に太陽電池４４を配設するとともに、文字板４２に遮光印刷層４２ｂを設けることにより、透明な文字板４２であっても月齢表示車９を部分的に遮蔽することができ、太陽電池駆動の月齢表示時計４１が可能となる。
この月齢表示時計４１も同じ太陽電池４４が組み込まれたムーブメント４３を用いながら、月齢表示車や、外装組込部品であるケース、文字板、あるいは各指針を交換するだけ
で、時計表示面のタイプの異なる各種外装デザインの時計の生産に対応することができる。第１の実施の形態である月齢表示時計１に比較して文字板スペーサが不要になり部品点数を減らすことができる。また、太陽電池４４の受光面積が太陽電池１２に比較して拡大できるという効果がある。
【００２６】
以下に、本発明の時計の他の実施の形態について説明する。以上説明した実施の形態では、遮光印刷層４２ｂは文字板４２の下側に形成されているが、他の実施の形態として、図１０に示すように、遮光印刷層４２ｃを文字板４２の視認側に形成してもよく、このときは遮光印刷層４２ｃを分目盛と同時に印刷できるという利点がある。
また、文字板４２に形成した月齢表示車９の表示領域を決める遮蔽部材としては、遮光印刷層４２ｂに替えてメッキにより形成する薄膜や、真空蒸着法やスパッタリング法により形成する薄膜や、あるいは装飾板を貼り付けてもよい。
【００２７】
また、以上説明した月齢表示車９の表示領域を決める遮蔽部材は何れも太陽電池１２、４４の上方に配設されているが、他の実施の形態として太陽電池そのものを遮蔽部材としたものが考えられる。図１１は本発明の他の実施の形態である月齢表示時計のムーブメントを示す平面図である。
図１１において、５０はこの時計のムーブメントを示しており、５１は月齢表示窓５１ａを有する太陽電池を示している。この場合には、月齢表示車９は太陽電池５１の下方に配設されており、太陽電池５１の受光面が最大限に拡大でき光起電力が大きくなる効果をもち、さらに遮蔽部材として別に設けていた部品を削減できるという効果がある。
【００２８】
また、以上の説明では、月齢表示車９は太陽電池１２、４４、５１の下に配設されているが、他の実施の形態として太陽電池の上に月齢表示板が配設されたものも考えられる。
その場合には、太陽電池を形成する基板に月齢表示車の回転軸を挿通する穴を形成し、基板を月齢表示板の下方にも形成して、月齢表示板から露出する太陽電池を面積が等分となるように分割する構成が可能である。
【００２９】
また、月齢表示車９は回路支持台２５に軸支されているが、他の実施の形態として地板１５又はその他の金属部材に回転自在に軸支することも考えられる。
その場合には、月齢表示車止めピン２６をネジとし地板又は金属材料にネジ止めすることで、係合部を金属同士の係合とすることができることから、月齢表示車９の分解組立て性が良好になるとともに、月齢表示車止めピン２６の係合部が衝撃や経時変化で緩みやすくなるということは発生しなくなるという利点がある。
【００３０】
また、本発明の他の実施の形態である月齢表示時計として、文字板の時目盛を含む時字領域と、文字板の遮蔽部材領域と対向する領域を避けて太陽電池が露呈する開口部を文字板に設けるものが考えられる。
その場合には、文字板開口部を介して光が直接太陽電池に照射されることから、太陽電池の発電効率が向上するという効果がある。
【００３１】
以上説明した文字板表面に放射状や渦巻状の模様を設けても良い。文字板に模様を設けると、文字板スペーサや、太陽電池の境界部や、太陽電池と文字板スペーサとの境界部をぼかすことができ、これらの境界部や文字板スペーサが視認されにくくなり、外観品質が向上するという効果をもつ。
【産業上の利用可能性】
【００３２】
以上の実施例ではもっぱら月齢表示時計について説明してきたが、本発明は月齢表示時計に限らず、太陽電池駆動される他の種々の回転表示部を備えた時計に広く適用できるものである。
【図面の簡単な説明】
【００３３】
【図１】本発明の実施の形態における回転表示機能付時計を示す平面図である。
【図２】本発明の実施の形態における回転表示機能付時計のムーブメントを示す平面図である。
【図３】本発明の実施の形態における回転表示機能付時計の文字板を含めた時計ムーブメントを示す要部断面図である。
【図４】本発明の実施の形態における回転表示機能付時計の駆動輪列を示すブロック図である。
【図５】本発明の他の実施の形態における回転表示機能付時計を示す平面図である。
【図６】本発明の他の実施の形態における回転表示機能付時計のムーブメントを示す平面図である。
【図７】本発明の他の実施の形態における回転表示機能付時計を示す平面図である。
【図８】本発明の他の実施の形態における回転表示機能付時計のムーブメントを示す平面図である。
【図９】本発明の他の実施の形態における回転表示機能付時計の文字板を含めた時計ムーブメントの要部断面を示す断面図である。
【図１０】本発明の他の実施の形態における回転表示機能付時計の文字板を示す平面図である。
【図１１】本発明の他の実施の形態における回転表示機能付時計のムーブメントを示す平面図である。
【符号の説明】
【００３４】
１、３１、４１  月齢表示時計
４、３３、４２  文字板
４ａ、１４ａ、３３ａ、３５ａ、４２ａ、５１ａ  月齢表示窓
５  時針
６  分針
７  秒針
９  月齢表示車
１０、３４、４３、５０  ムーブメント
１２、４４、５１  太陽電池
１２ａ  切欠部
１３、４５  太陽電池支持枠
１４、３５  文字板スペーサ
２５  回路支持台
４２ｂ、４２ｃ  遮光印刷層
【図１】
2006275525.tif 000003
【図２】
2006275525.tif 000004
【図３】
2006275525.tif 000005
【図４】
2006275525.tif 000006
【図５】
2006275525.tif 000007
【図６】
2006275525.tif 000008
【図７】
2006275525.tif 000009
【図８】
2006275525.tif 000010
【図９】
2006275525.tif 000011
【図１０】
2006275525.tif 000012
【図１１】
2006275525.tif 000013